(57)【要約】【課題】従来のバッテリは、電力供給対象の電動機器の駆動電圧毎に適合する出力電圧のバッテリを用意しなければならず、或いは、バッテリの出力電圧を設定された電圧に昇降圧するため電力供給先の電動機器に昇降圧手段を備えなければならなかった。【解決手段】バッテリ１１と、バッテリ１１から出力されたバッテリ電圧を変圧する変圧部１２（ＤＣ−ＤＣコンバータ１２ａ、切替部１２ｂ）と、変圧部１２に接続された出力部１３（接続端子１３ａ〜１３ｄ）とを有し、出力部１３からバッテリ電圧とは異なった電圧を出力する。【選択図】図１
2016082872.tif 000002
【特許請求の範囲】
【請求項１】
バッテリと、前記バッテリから出力されたバッテリ電圧を変圧する変圧部と、前記変圧部に接続された出力部とを有し、前記出力部から前記バッテリ電圧とは異なった電圧を出力することを特徴とする電圧可変バッテリ装置。
【請求項２】
前記変圧部における変圧機能に関する各種情報を制御する制御部と、前記制御部により制御される通信部及び記憶部とを有することを特徴とする請求項１に記載の電圧可変バッテリ装置。
【請求項３】
前記通信部に接続され、前記バッテリの現在状態を把握しバッテリ現在状態に関する情報を出力する状態把握部、及び入力した停止信号により少なくとも前記バッテリからの出力を停止する遮断部、の少なくとも一方を備える、バッテリ管理部を有することを特徴とする請求項２に記載の電圧可変バッテリ装置。
【請求項４】
前記バッテリは、充電式バッテリであり、バッテリ充電部を有することを特徴とする請求項１から３のいずれか一項に記載の電圧可変バッテリ装置。
【発明の詳細な説明】
【技術分野】
【０００１】
この発明は、電圧可変バッテリ装置に関し、特に、バッテリの出力電圧を基に任意の電圧を出力することができる電圧可変バッテリ装置に関する。
【背景技術】
【０００２】
従来、家庭用の交流（ＡＣ）電源から充電して、繰り返し使用することができる充電バッテリが普及しており、このようなバッテリを用いたものとして、例えば、駆動輪にトルクを加えるモータと、バッテリホルダに取り付けられたバッテリパックからモータへ電力を供給する回路ユニットを備えた、「バッテリパックを電源とする電動車」（特許文献１参照）が知られている。
【先行技術文献】
【特許文献】
【０００３】
【特許文献１】特開２０１１−２３５７４９号公報
【発明の概要】
【発明が解決しようとする課題】
【０００４】
しかしながら、従来のバッテリは、バッテリが装着され使用される対象の電動機器（例えば、モータ）に設定された電圧（定格電圧）を出力電圧として、電力を供給していた。つまり、バッテリから電動機器に電力を供給しようとする場合、電力供給先の電動機器の電圧とバッテリの出力電圧を一致させる必要があった。このため、電力供給対象の電動機器の駆動電圧毎に適合する出力電圧のバッテリを用意しなければならず、或いは、バッテリの出力電圧を設定された電圧に昇降圧するため電力供給先の電動機器に昇降圧手段を備えなければならなかった。
【０００５】
この発明の目的は、バッテリの出力電圧を基に、電力供給対象の電動機器の電圧に応じて異なった電圧の電力を供給することができる電圧可変バッテリ装置を提供することである。
【課題を解決するための手段】
【０００６】
上記目的を達成するため、この発明に係る電圧可変バッテリ装置は、バッテリと、前記バッテリから出力されたバッテリ電圧を変圧する変圧部と、前記変圧部に接続された出力部とを有し、前記出力部から前記バッテリ電圧とは異なった電圧を出力することを特徴としている。
上記構成を有することにより、電圧可変バッテリ装置から、バッテリの出力電圧を基に、電力供給対象の電動機器の電圧に応じて異なった電圧の電力を供給することができる。
【０００７】
この発明に係る電圧可変バッテリ装置において、前記変圧部における変圧機能に関する各種情報を制御する制御部と、前記制御部により制御される通信部及び記憶部とを有することが好ましい。この構成によれば、遠隔操作装置を用いた、制御部を介しての電圧可変バッテリ装置に対する各種制御が可能になる。
この発明に係る電圧可変バッテリ装置において、前記通信部に接続され、前記バッテリの現在状態を把握しバッテリ現在状態に関する情報を出力する状態把握部、及び入力した停止信号により少なくとも前記バッテリからの出力を停止する遮断部、の少なくとも一方を備える、バッテリ管理部を有することが好ましい。この構成によれば、通信部を介して、電圧可変バッテリ装置の使用場所とは異なった場所（遠隔地等）から、電圧可変バッテリ装置のバッテリを管理することができる。
この発明に係る電圧可変バッテリ装置において、前記バッテリは、充電式バッテリであり、バッテリ充電部を有することが好ましい。この構成によれば、バッテリ充電部を介してバッテリに充電することにより蓄電し、バッテリを繰り返し使用することができる。
【発明の効果】
【０００８】
この発明に係る電圧可変バッテリ装置によれば、バッテリの出力電圧を基に、電力供給対象の電動機器の電圧に応じて異なった電圧の電力を供給することができる。この結果、電力供給対象の電動機器の駆動電圧毎に適合する出力電圧のバッテリを用意する必要がなく、また、バッテリの出力電圧を適合する電圧に昇降圧するため電力供給先の電動機器に昇降圧手段を備える必要もない。
【図面の簡単な説明】
【０００９】
【図１】この発明の第１実施の形態に係る電圧可変バッテリ装置の概略構成を示すブロック図である。
【図２】図１の電圧可変バッテリ装置を示し、（ａ）の外観説明図、（ｂ）は他の筐体端面例の説明図である。
【図３】この発明の第２実施の形態に係る電圧可変バッテリ装置の概略構成を、バッテリ管理部との関連でのみ示すブロック図である。
【発明を実施するための形態】
【００１０】
以下、この発明を実施するための形態について図面を参照して説明する。
（第１実施の形態）
図１は、この発明の第１実施の形態に係る電圧可変バッテリ装置の概略構成を示すブロック図である。図１に示すように、電圧可変バッテリ装置１０は、バッテリ１１と、変圧部１２と、出力部１３と、充電部（バッテリ充電部）１４と、制御部（ＣＰＵ：Ｃｅｎｔｒａｌ  Ｐｒｏｃｅｓｓｉｎｇ  Ｕｎｉｔ）１５と、通信部１６と、記憶部１７を備えている。
【００１１】
バッテリ１１は、例えば５０Ｖの直流（ＤＣ）電圧をバッテリ電圧として出力する、二次電池（充電式電池）であり、充電部１４を介して、例えば１００Ｖの交流（ＡＣ）電源からバッテリ１１に充電することにより蓄電し、バッテリ１１を繰り返し使用することができる。なお、バッテリ１１は、二次電池に限るものではなく一次電池（乾電池）を用いても良い。
【００１２】
変圧部１２は、ＤＣ−ＤＣコンバータ１２ａ及び切替部１２ｂを備えており、バッテリ電圧を基に変圧処理を行い、変圧後の電圧を出力部１３へと出力する。ＤＣ−ＤＣコンバータ１２ａは、昇降圧型のＤＣ−ＤＣコンバータであり、バッテリ１１から変圧部１２に入力したバッテリ電圧を、バッテリ電圧とは異なる任意の電圧に変圧して、切替部１２ｂと出力部１３へ出力する。切替部１２ｂは、ＤＣ−ＤＣコンバータ１２ａから入力した変圧後の電圧の出力先を、複数（一例として、この実施の形態では３個）の中から選択した一つに切り替える。
【００１３】
なお、変圧部１２を、上述したように、１個のＤＣ−ＤＣコンバータ１２ａと切替部１２ｂにより構成するのではなく、複数個（一例として、この実施の形態では４個）のＤＣ−ＤＣコンバータ１２ａにより構成して、各ＤＣ−ＤＣコンバータ１２ａからそれぞれ変圧された電圧を、複数個（一例として、この実施の形態では４個）の出力部１３のそれぞれへ直接出力しても良い。これにより、変圧部１２から出力部１３へ、ＤＣ−ＤＣコンバータ１２ａの数（一例として、この実施の形態では４個）に応じた複数（一例として、この実施の形態では４種類）の異なった電圧のそれぞれを、出力部１３へ同時に出力することができる。
【００１４】
変圧部１２からの出力電圧は、一例として、この実施の形態では、ＤＣ３Ｖ、ＤＣ５Ｖ、ＤＣ１２Ｖの三種類の異なった電圧に設定されるが、これに限るものではなく、ＤＣ３．１５〜６．３Ｖ、ＤＣ６．３〜１０．５Ｖ、ＤＣ１３．５〜１８Ｖの三種類の異なった範囲の電圧等、電力供給対象（例えば、モータ等の電動機器）に対応して様々な電圧値及び出力数に設定することができる。変圧部１２からの出力電圧としては、バッテリ１１のバッテリ電圧が最大となる。
【００１５】
出力部１３は、一例として、この第１実施の形態では、変圧部１２の切替部１２ｂに接続された、４個の接続端子１３ａ〜１３ｄを備えており、各接続端子１３ａ〜１３ｄを接続端として電圧可変バッテリ装置１０と外部の電力供給対象とを接続する、コネクタとして機能する。このコネクタとしての出力部１３を介して変圧部１２と電力供給対象が繋がることにより、変圧部１２からの変圧電圧を出力電圧として、電力供給対象に供給することができる。
【００１６】
つまり、電圧可変バッテリ装置１０から電力供給対象へ、バッテリ１１の出力電圧を基に、電力供給対象の電動機器の必要電圧に応じて異なった電圧の電力を供給することができる。
制御部（ＣＰＵ）１５は、変圧部１２の変圧処理及び切替処理等、電圧可変バッテリ装置１０におけるバッテリ電圧可変処理に関する各種動作を制御、即ち、変圧部１２における変圧機能に関する各種情報を制御すると共に、通信機能を備えた通信部１６及び記憶部１７の作動を制御する。
【００１７】
通信部１６は、無線或いは有線の何れかの通信機能を備えており、例えば無線通信機能を備えることで、遠隔操作用の操作信号を出力することができる多機能携帯電話（所謂、スマートフォン）やパーソナルコンピュータ（ＰＣ）或いはリモートコントローラ（リモコン）等の遠隔操作装置と、電圧可変バッテリ装置１０を、無線により接続することができる。これにより、多機能携帯電話やＰＣ或いはリモコン等を用いた、制御部１５を介しての、電圧可変バッテリ装置１０に対する各種制御、例えば、作動（ＯＮ／ＯＦＦ）制御、作動状態（ステータス）確認等が可能になる。
【００１８】
例えば、遠隔操作装置により電圧可変バッテリ装置１０を起動する場合、先ず、遠隔操作装置のアプリケーションソフトから電圧可変バッテリ装置１０の識別子（ＩＤ）を取得し、次に、アプリケーションソフトに、予め設定したパスワードを入力して、電圧可変バッテリ装置１０へ送信し、環境設定を終了する。これにより、電圧可変バッテリ装置１０のセキュリティを確保して、電圧可変バッテリ装置１０を起動することができる。
【００１９】
また、電圧可変バッテリ装置１０の出力電圧を設定する場合、先ず、遠隔操作装置のアプリケーションソフトから出力電圧の電圧値を設定し、次に、遠隔操作装置から設定情報を電圧可変バッテリ装置１０へ送信して、電圧設定を終了する。これにより、出力部１３から電力供給対象へ、必要とする電圧値の出力電圧の電力を供給することができる。
【００２０】
また、電圧可変バッテリ装置１０の電源をオン・オフ（ＯＮ／ＯＦＦ）する場合、先ず、遠隔操作装置のアプリケーションソフトから電源オン・オフを指定し、次に、遠隔操作装置から指定情報を電圧可変バッテリ装置１０へ送信して、電源オン・オフを終了する。これにより、遠隔操作装置による電圧可変バッテリ装置１０の電源オン・オフができる。
なお、電圧可変バッテリ装置１０を、ＧＰＳ（Ｇｌｏｂａｌ  Ｐｏｓｉｔｉｏｎｉｎｇ  Ｓｙｓｔｅｍ）等の衛星測位システムに対応させることにより、電圧可変バッテリ装置１０の現在位置情報を取得することができる。
【００２１】
記憶部１７は、電圧可変バッテリ装置１０の制御に関する、制御プログラム等のソフトウェアを格納すると共に各種データを保存する。
つまり、制御部１５と、制御部１５により制御される通信部１６及び記憶部１７とを有することで、遠隔操作装置を用いた、制御部１５を介しての電圧可変バッテリ装置１０に対する各種制御が可能になる。
【００２２】
図２は、図１の電圧可変バッテリ装置を示し、（ａ）の外観説明図、（ｂ）は他の筐体端面例の説明図である。
図２（ａ）に示すように、電圧可変バッテリ装置１０は、筐体１８の内部空間に、バッテリ収納部１８ａと構成部材収納部１８ｂを設けて形成されている。バッテリ収納部１８ａには、バッテリ１１が取り出し可能に収納され、構成部材収納部１８ｂには、変圧部１２、出力部１３、充電部１４、制御部１５、通信部１６、及び記憶部１７等の構成部材（図示しない）が収納される。
【００２３】
筐体１８は、一例として、この実施の形態では、円筒形状を有しており、筐体１８の外表面である、構成部材収納部１８ｂ側の端面１８ｃには、出力部１３の４個の接続端子１３ａ〜１３ｄの一端側を露出させている。
つまり、バッテリ１１と各部１２〜１７等の構成部材を、バッテリ収納部１８ａと構成部材収納部１８ｂにそれぞれ収納し一つの筐体１８に組み込む（図２（ａ）参照）ことで、電圧可変バッテリ装置１０を、小型軽量化することが可能になり、容易に持ち運ぶことができる。
なお、筐体１８は、円筒形状に限るものではなく、バッテリ１１と各部１２〜１７等の構成部材の形状等に対応して効率良く収納することができる任意の形状、例えば矩形断面形状の箱形等にしても良い。
【００２４】
筐体１８の端面１８ｃに一端側を露出させた４個の接続端子１３ａ〜１３ｄは、一例として、この実施の形態では、ＤＣジャックからなる３個の接続端子１３ａ〜１３ｃと、ＵＳＢ（Ｕｎｉｖｅｒｓａｌ  Ｓｅｒｉａｌ  Ｂｕｓ）ジャックからなる１個の接続端子１３ｄとしている（図２（ａ）参照）。３個の接続端子１３ａ〜１３ｃは、変圧部１２の切替部１２ｂに接続され、１個の接続端子１３ｄは、変圧部１２のＤＣ−ＤＣコンバータ１２ａに接続されている。なお、ＵＳＢジャックは、制御部（ＣＰＵ）１５と直接信号のやり取りができるようにしても良い。
各ジャックは、プラグ（図示しない）と対を成して差込式接続部を構成しており、プラグの差込口となるジャックの露出端に、電力供給対象に接続されたプラグを差し込むことで、プラグとジャックが結合し接続状態になる。
【００２５】
３個のＤＣジャック１３ａ〜１３ｃは、同一形状を有しており、ＤＣジャック１３ａにはＤＣ３Ｖ（或いはＤＣ３．１５〜６．３Ｖ）、ＤＣジャック１３ｂにはＤＣ５Ｖ（或いはＤＣ６．３〜１０．５Ｖ）、ＤＣジャック１３ｃにはＤＣ１２Ｖ（或いはＤＣ１３．５〜１８Ｖ）、のそれぞれ異なった電圧が出力され、１個のＵＳＢジャック１３ｄにはＤＣ５Ｖが出力される。これにより、４個のジャック１３ａ〜１３ｄは、３個の同一形状のＤＣジャック１３ａ〜１３ｃのそれぞれから３種類の異なった電圧を、ＵＳＢジャック１３ｄから１種類の電圧を、それぞれ出力する、共有電源コネクタとして用いることができる。この場合、ＵＳＢジャック１３ｄも３個のＤＣジャック１３ａ〜１３ｄと同一の形状にし、或いは３個のＤＣジャック１３ａ〜１３ｄもＵＳＢジャック１３ｄと同一の形状にし、それぞれ異なった４種類の電圧を出力するようにしても良い。
【００２６】
また、図２（ｂ）に示すように、筐体１８の端面１８ｃに一端側を露出させた４個の接続端子１３ａ〜１３ｄのそれぞれを、ＤＣジャックやＵＳＢジャック或いは電動自転車の大容量電源ジャック等、想定される電力供給対象が備えるプラグに適応する形状のＤＣジャックとし、各ＤＣジャックに、各プラグにより接続される電力供給対象に供給する電圧を出力するようにしても良い。これにより、４個のＤＣジャック１３ａ〜１３ｄは、４個の異なった形状のジャックのそれぞれから、各ジャックに差し込まれたプラグにより接続される電力供給対象に応じた電圧を電力供給対象に直接出力する、直接接続電源コネクタとして用いることができる。
【００２７】
つまり、４個のジャック１３ａ〜１３ｄにプラグが差し込まれプラグとジャックが結合し接続状態になることにより、コネクタとしての４個のジャック１３ａ〜１３ｄを介して、変圧部１２と電力供給対象が接続され、変圧部１２によって変圧された電圧を出力電圧として、電圧可変バッテリ装置１０から電力供給対象に任意の電圧の電力を供給することができる。
なお、出力部１３の４個の接続端子１３ａ〜１３ｄは、共有電源コネクタとして用いる場合或いは直接接続電源コネクタとして用いる場合の何れであっても、プラグ−ジャックの差込式接続部構造に限るものではなく、電力供給対象の接続部構造に対応するように、必要に応じて接続端子の種類や数を任意に設定することができる。
【００２８】
上述したように、この発明に係る電圧可変バッテリ装置１０は、バッテリ１１の出力電圧を基に、電力供給対象の電動機器の電圧に応じて異なった電圧の電力を出力することができるが、用いられるバッテリ１１は、バッテリ電圧が５０Ｖのものに限らず任意のバッテリ電圧のものを用いることができる。また、バッテリ１１は、１個に限らず、２個以上を直列接続或いは並列接続により用いても良く、これにより、バッテリ１１の出力電圧を、任意の電圧値にすることができる。
また、例えば、電圧可変バッテリ装置１０を代金と引き換えに一定期間貸し出すレンタルシステムを構築することにより、電圧可変バッテリ装置１０を、必要に応じレンタルして任意の電圧を出力することができる、自由に持ち出し可能な電力供給源として使用することができる。
（第２実施の形態）
【００２９】
図３は、この発明の第２実施の形態に係る電圧可変バッテリ装置の概略構成を、バッテリ管理部との関連でのみ示すブロック図である。図３に示すように、電圧可変バッテリ装置２０は、バッテリ１１と、変圧部１２と、出力部１３（図示を省略、図１参照）と、充電部１４と、制御部（ＣＰＵ）１５と、通信部１６と、記憶部１７（図示を省略、図１参照）と共に、バッテリ管理部２１を有しており、バッテリ管理部２１は、状態把握部２２と、遮断部２３を備えている。バッテリ管理部２１は、構成部材収納部１８ｂに収納されて筐体１８に組み込まれる。その他の構成及び作用は、第１実施の形態の電圧可変バッテリ装置１０と同様である。
バッテリ管理部２１は、通信部１６に接続されており、通信部１６を介して、多機能携帯電話やＰＣ或いはリモコン等の遠隔操作装置と無線により接続することができ、遠隔操作装置からの情報（各種指示に関する情報等）が入力する。
【００３０】
状態把握部２２は、バッテリ１１に接続されており、状態把握部２２に入力した状態把握信号により状態把握部２２を作動させ、バッテリ１１の現在状態を検出して得られた各種情報に基づいてバッテリ１１の現在状態（バッテリ現在状態）を把握し、バッテリ現在状態に関する情報を出力する。バッテリ現在状態に関する情報として、現在のバッテリ容量（バッテリ残存容量）に関するもの、現在のバッテリ容量に基づく将来使用可能時間や使用不能警告に関するもの等がある。例えば、バッテリ残存容量は、バッテリ１１の電圧又は電流の測定値に基づく計算結果として得ることができる。
【００３１】
この状態把握部２２においては、バッテリ現在状態に関連し、当該バッテリ１１の充電回数や使用回数等の履歴、電圧可変バッテリ装置２０の使用者がバッテリ１１を充電した場合の充電容量等に関する情報を出力しても良い。バッテリ１１を充電する場合、充電するバッテリ１１への入力電圧がどのような値でも、制御部（ＣＰＵ）１５により変圧部１２を制御しアップコンバート・ダウンコンバートする充電電圧制御を行う。
【００３２】
遮断部２３は、通電を遮断する、機械的或いは電子的なオン・オフ（ＯＮ・ＯＦＦ）スイッチ等からなる電路遮断手段を、バッテリ１１と変圧部１２、バッテリ１１と充電部１４、制御部（ＣＰＵ）１５と通信部１６、の各電路に配置しており、遮断部２３に入力した停止信号により電路遮断手段を作動させ、各電路を個別に或いは同時に遮断する。従って、遮断部２３は、電路遮断手段をバッテリ１１と変圧部１２の電路に配置することで、入力した停止信号により少なくともバッテリ１１からの出力を停止することができる。
なお、電圧可変バッテリ装置２０において、バッテリ管理部２１は、状態把握部２２及び遮断部２３の両方を備えていても良いが、少なくとも一方を備えていればよい。
【００３３】
上述したバッテリ管理部２１を有することにより、通信部１６を介して、電圧可変バッテリ装置２０の使用場所とは異なった場所（遠隔地等）から、電圧可変バッテリ装置２０のバッテリ１１を管理することができる。この際、状態把握部２２を備えることで、バッテリ１１の現在状態（バッテリ現在状態）に基づいてバッテリ現在状態に関する情報を出力することができ、また、遮断部２３を備えることで、各電路を個別に或いは同時に遮断することによって、バッテリ１１からの出力を停止することができる。
【００３４】
次に、上記構成を有する電圧可変バッテリ装置２０の作用を説明する。
電圧可変バッテリ装置２０は、状態把握部２２及び遮断部２３を備えたバッテリ管理部２１により、バッテリ１１の現在の状態（バッテリ現在状態）を把握することができ、また、バッテリ１１と変圧部１２、バッテリ１１と充電部１４、制御部（ＣＰＵ）１５と通信部１６の各電路等、装置内の電路を遮断することができる。
【００３５】
電圧可変バッテリ装置２０を、例えば、レンタルシステムにおいてレンタル対象物として用いる際、レンタルシステム管理者が、電圧可変バッテリ装置２０の使用場所とは異なった場所（遠隔地等）から、電圧可変バッテリ装置２０におけるバッテリ現在状態を確認したい場合、多機能携帯電話等から電圧可変バッテリ装置２０へ状態把握信号を出力する。状態把握信号が、通信部１６を介して状態把握部２２に入力すると、状態把握部２２は、バッテリ現在状態に関する情報を出力し、出力された情報は、状態把握部２２から通信部１６を介して、レンタルシステム管理者の多機能携帯電話等に入力する。従って、レンタルシステム管理者は、多機能携帯電話等により、電圧可変バッテリ装置２０におけるバッテリ現在状態に関する各種情報を確認することができる。
【００３６】
この結果、レンタルシステム管理者は、多機能携帯電話等により、電圧可変バッテリ装置２０の使用場所とは異なった場所（遠隔地等）からでも、レンタル中の電圧可変バッテリ装置２０におけるバッテリ現在状態を把握し、電圧可変バッテリ装置２０の使用中に生じるバッテリ１１に関する様々な状況にも適切に対処することが可能になり、レンタル中の電圧可変バッテリ装置２０の管理を確実に行うことができる。
【００３７】
同様に、電圧可変バッテリ装置２０をレンタル対象物として用いる際、電圧可変バッテリ装置２０の使用場所とは異なった場所（遠隔地等）から、電圧可変バッテリ装置２０の使用を停止したいとき、多機能携帯電話等から電圧可変バッテリ装置２０へ停止信号を出力する。停止信号が、通信部１６を介して遮断部２３に入力すると、遮断部２３は、バッテリ１１と変圧部１２の電路に配置された電路遮断手段を作動させ、電路を遮断する。バッテリ１１と変圧部１２の電路が遮断されることにより、バッテリ１１から変圧部１２への出力が停止される。
【００３８】
この結果、レンタルシステム管理者は、多機能携帯電話等により、電圧可変バッテリ装置２０の使用場所とは異なった場所（遠隔地等）からでも、レンタル中の電圧可変バッテリ装置２０を強制的にバッテリ出力オフ状態、即ち、電圧可変バッテリ装置２０使用不能状態にすることが可能になり、レンタル中の電圧可変バッテリ装置２０の管理を確実に行うことができる。このとき、制御部（ＣＰＵ）１５と通信部１６は使用可能状態にしておく。
【００３９】
なお、電圧可変バッテリ装置２０において、遮断部２３が、バッテリ１１と変圧部１２、バッテリ１１と充電部１４、制御部（ＣＰＵ）１５と通信部１６、の各電路に配置された電路遮断手段を作動させ、各電路を遮断する場合、バッテリ１１から変圧部１２への出力を停止するのに加え、充電部１４からバッテリ１１への電力供給、及び制御部（ＣＰＵ）１５と通信部１６の接続の何れも不可能になるので、電圧可変バッテリ装置２０を、完全な使用不能状態にすることができる。この場合、電圧可変バッテリ装置２０の各機能を復活再生させるには、レンタル事業の管理者が、直接、使用可能状態に設定し直すようにする。
【００４０】
このように、この発明に係る電圧可変バッテリ装置１０，２０は、バッテリ１１の出力電圧を基に、電力供給対象の電動機器の電圧に応じて異なった電圧の電力を出力することができるので、電力供給対象の電動機器の駆動電圧毎に適合する出力電圧のバッテリを用意する必要がなく、また、バッテリの出力電圧を適合する電圧に昇降圧するため電力供給先の電動機器に昇降圧手段を備える必要もない。加えて、電圧可変バッテリ装置２０は、バッテリ１１の現在の状態を把握すると共に、装置内の電路を遮断することができるので、電圧可変バッテリ装置２０を、例えば、レンタルシステムにおいてレンタル対象物として用いる際、レンタル中の電圧可変バッテリ装置２０の管理を確実に行うことができる。
【産業上の利用可能性】
【００４１】
この発明によれば、バッテリの出力電圧を基に、電力供給対象の電動機器の電圧に応じて異なった電圧の電力を供給することができるので、複数の異なった電圧を出力する共有電源として、また、電力供給対象に直接出力する直接接続電源として最適であり、更に、自由に持ち出し可能な電力供給源として使用すると共に、使用場所とは異なった場所（遠隔地等）からでも管理を確実に行うことができるので、例えば、レンタルシステムを構築して、レンタル対象物として使用するのに最適である。
【符号の説明】
【００４２】
１０，２０  電圧可変バッテリ装置
１１  バッテリ
１１ａ  格納部
１２  変圧部
１２ａ  ＤＣ−ＤＣコンバータ
１２ｂ  切替部
１３  出力部
１３ａ〜１３ｄ  接続端子
１４  充電部
１５  制御部
１６  通信部
１７  記憶部
１８  筐体
１８ａ  バッテリ収納部
１８ｂ  構成部材収納部
１８ｃ  端面
２１  バッテリ管理部
２２  状態把握部
２３  遮断部
【図１】
2016082872.tif 000003
【図２】
2016082872.tif 000004
【図３】
2016082872.tif 000005